(57)【特許請求の範囲】
【請求項１】
通信網を介し外部装置との間で通話を行う子機に接続する第１接続手段と、前記外部装置へ送信するデータを処理する処理装置に接続する第２接続手段とを備える通信装置であって、
前記第２接続手段を介して前記処理装置から送られてくる送信データを受信する送信データ受信手段と、
前記送信データ受信手段により前記送信データを受信したことを、前記第１接続手段を介して前記子機に対して通知する通知手段と、
前記通知手段による通知先の子機と前記外部装置との間における通話を中継する中継手段と、
前記中継手段により通話が中継される前記子機から送信データの送信指示を受信した場合、前記中継手段が中継する通話の相手先である外部装置に対して、前記送信データ受信手段により受信した前記送信データを送信する送信手段と、
前記送信データの送信先の外部装置を特定する特定データを、前記処理装置から受信する特定データ受信手段と、
前記中継手段が中継する通話の相手先である外部装置を特定する相手先データを取得する相手先データ取得手段と、
前記相手先データ取得手段により取得される前記相手先データと、前記特定データ受信手段により受信した前記特定データとが等しいかを判断する第１判断手段とを備え、
前記送信手段は、
前記第１判断手段により前記相手先データと前記特定データとが等しいと判断されることを条件として、前記送信データ受信手段により受信した前記送信データを、前記通話の相手先である外部装置へ送信するものである通信装置。
【請求項２】
前記通知手段は、前記特定データ受信手段により受信した前記特定データを前記子機に対して通知するものである請求項１に記載の通信装置。
【請求項３】
前記第１接続手段は、複数台の子機の各々と前記通信装置との間を接続するものであって、
前記複数台の子機の各々を識別するための識別データを、前記処理装置から受信する識別データ受信手段を備え、
前記通知手段は、前記複数台の子機のうち、前記識別データ受信手段により受信した識別データで識別される子機に対して通知をするものである請求項１又は２に記載の通信装置。
【請求項４】
前記送信データ受信手段により前記処理装置から前記送信データを受信する毎に、当該受信した送信データを、前記特定データ受信手段により受信した前記特定データと、前記識別データ受信手段により受信した前記識別データとに対応づけてメモリに保存する保存手段と、
前記識別データ受信手段により前記処理装置から前記識別データを受信することを条件として、当該受信した前記識別データと同一の識別データに対応づけて前記メモリに保存されている前記特定データを抽出する抽出手段とを備え、
前記通知手段は、前記抽出手段により抽出された前記特定データを、前記識別データ受信手段により受信した識別データで識別される子機へ通知することを特徴とする請求項３記載の通信装置。
【請求項５】
前記中継手段が中継する通話の相手先である外部装置を特定する相手先データを取得する相手先データ取得手段と、
前記相手先データ取得手段により取得される前記相手先データと等しい前記特定データが、前記メモリに保存されているかを判断する第２判断手段と、
その第２判断手段による判断結果を、前記子機に対して通知するデータ有無通知手段とを備える請求項４記載の通信装置。
【請求項６】
通信網を介し外部装置との間で通話を行う複数台の子機の各々に接続する第１接続手段と、前記外部装置へ送信するデータを処理する処理装置に接続する第２接続手段とを備える通信装置であって、
前記第２接続手段を介して前記処理装置から送られてくる送信データを受信する送信データ受信手段と、
前記送信データ受信手段により前記送信データを受信したことを、前記第１接続手段を介して前記子機に対して通知する通知手段と、
前記通知手段による通知先の子機と前記外部装置との間における通話を中継する中継手段と、
前記中継手段により通話が中継される前記子機から送信データの送信指示を受信した場合、前記中継手段が中継する通話の相手先である外部装置に対して、前記送信データ受信手段により受信した前記送信データを送信する送信手段と、
前記送信データの送信先の外部装置を特定する特定データを、前記処理装置から受信する特定データ受信手段と、
前記複数台の子機の各々を識別するための識別データを、前記処理装置から受信する識別データ受信手段と、
前記送信データ受信手段により前記処理装置から前記送信データを受信する毎に、当該受信した送信データを、前記特定データ受信手段により受信した前記特定データと、前記識別データ受信手段により受信した前記識別データとに対応づけてメモリに保存する保存手段と、
前記識別データ受信手段により前記処理装置から前記識別データを受信することを条件として、当該受信した前記識別データと同一の識別データに対応づけて前記メモリに保存されている前記特定データを抽出する抽出手段と、
前記中継手段が中継する通話の相手先である外部装置を特定する相手先データを取得する相手先データ取得手段と、
前記相手先データ取得手段により取得される前記相手先データと等しい前記特定データが、前記メモリに保存されているかを判断する第２判断手段と、
前記第２判断手段による判断結果を、前記子機に対して通知するデータ有無通知手段とを備え、
前記通知手段は、前記抽出手段により抽出された前記特定データを、前記識別データ受信手段により受信した識別データで識別される子機へ通知することを特徴とする通信装置。
【請求項７】
前記特定データ受信手段により前記特定データを受信することを条件として、当該受信した前記特定データで特定される前記外部装置に発呼する発呼手段とを備え、
前記中継手段は、前記発呼手段により発呼した前記外部装置と前記子機との間の通話を中継するものであることを特徴とする請求項１に記載の通信装置。
【請求項８】
前記第１接続手段および前記第２接続手段は、無線通信により装置間を接続するものであって、
前記送信データ受信手段により前記送信データを受信した後、前記第２接続手段を介した前記処理装置との間の接続を切断する切断手段を備え、
前記中継手段は、前記切断手段により前記処理装置との間の接続を切断した後、前記子機と前記外部装置との間の通話の中継を開始するものである請求項１から７のいずれかに記載の通信装置。
【請求項９】
通信網を介し外部装置との間で通話を行う子機に接続する第１接続手段と、前記外部装置へ送信するデータを処理する処理装置に接続する第２接続手段とを備える通信装置と、前記子機とを含む通信システムであって、
前記通信装置は、
前記第２接続手段を介して前記処理装置から送られてくる送信データを受信する送信データ受信手段と、
前記送信データの送信先の外部装置を特定する特定データを、前記処理装置から受信する特定データ受信手段と、
前記特定データ受信手段により受信した前記特定データを前記子機に対して通知する通知手段と、
前記通知手段による通知先の子機と前記外部装置との間における通話を中継する中継手段と、
前記中継手段により通話が中継される前記子機から送信データの送信指示を受信した場合、前記中継手段が中継する通話の相手先である外部装置に対して、前記送信データ受信手段により受信した前記送信データを送信する送信手段とを備え、
前記子機は、
前記通知手段により前記通信装置から通知された特定データを表示する表示手段と、
前記表示手段により表示された前記特定データをユーザが選択することを条件として、前記選択された特定データで特定される外部装置に対する発呼を前記通信装置に指示する発呼指示手段とを備えることを特徴とする通信システム。
【発明の詳細な説明】
【技術分野】
【０００１】
本発明は、通信装置および通信システムに関するものである。
【背景技術】
【０００２】
特許文献１には、コードレス子機が通話中であるときに、複合機に設けられているファクシミリ送信開始ボタンを押すと、通話中の相手先にファクシミリ送信を実行する技術が開示されている。
【先行技術文献】
【特許文献】
【０００３】
【特許文献１】特開２００７−８９０４１号公報
【発明の概要】
【発明が解決しようとする課題】
【０００４】
しかしながら、特許文献１の構成では、子機の側で、あるユーザがファクシミリ送信の宛先とは無関係な相手先へ電話をかけているときに、他のユーザが複合機において、ファクシミリ送信開始ボタンを押してしまう場合、その無関係な相手にファクシミリ送信が行われてしまうという誤送信が発生するという問題点があった。
【０００５】
本発明は、上記問題点を解決するためになされたものであり、誤送信の発生を抑制できる通信装置および通信システムを提供することを目的としている。
【課題を解決するための手段】
【０００６】
この目的を達成するために、本発明の通信装置は、通信網を介し外部装置との間で通話を行う子機に接続する第１接続手段と、前記外部装置へ送信するデータを処理する処理装置に接続する第２接続手段とを備えるものであって、前記第２接続手段を介して前記処理装置から送られてくる送信データを受信する送信データ受信手段と、前記送信データ受信手段により前記送信データを受信したことを、前記第１接続手段を介して前記子機に対して通知する通知手段と、前記通知手段による通知先の子機と前記外部装置との間における通話を中継する中継手段と、前記中継手段により通話が中継される前記子機から送信データの送信指示を受信した場合、前記中継手段が中継する通話の相手先である外部装置に対して、前記送信データ受信手段により受信した前記送信データを送信する送信手段と、前記送信データの送信先の外部装置を特定する特定データを、前記処理装置から受信する特定データ受信手段と、前記中継手段が中継する通話の相手先である外部装置を特定する相手先データを取得する相手先データ取得手段と、前記相手先データ取得手段により取得される前記相手先データと、前記特定データ受信手段により受信した前記特定データとが等しいかを判断する第１判断手段とを備え、前記送信手段は、前記第１判断手段により前記相手先データと前記特定データとが等しいと判断されることを条件として、前記送信データ受信手段により受信した前記送信データを、前記通話の相手先である外部装置へ送信するものである。
または、本発明の通信装置は、通信網を介し外部装置との間で通話を行う複数台の子機の各々に接続する第１接続手段と、前記外部装置へ送信するデータを処理する処理装置に接続する第２接続手段とを備える通信装置であって、前記第２接続手段を介して前記処理装置から送られてくる送信データを受信する送信データ受信手段と、前記送信データ受信手段により前記送信データを受信したことを、前記第１接続手段を介して前記子機に対して通知する通知手段と、前記通知手段による通知先の子機と前記外部装置との間における通話を中継する中継手段と、前記中継手段により通話が中継される前記子機から送信データの送信指示を受信した場合、前記中継手段が中継する通話の相手先である外部装置に対して、前記送信データ受信手段により受信した前記送信データを送信する送信手段と、前記送信データの送信先の外部装置を特定する特定データを、前記処理装置から受信する特定データ受信手段と、前記複数台の子機の各々を識別するための識別データを、前記処理装置から受信する識別データ受信手段と、前記送信データ受信手段により前記処理装置から前記送信データを受信する毎に、当該受信した送信データを、前記特定データ受信手段により受信した前記特定データと、前記識別データ受信手段により受信した前記識別データとに対応づけてメモリに保存する保存手段と、前記識別データ受信手段により前記処理装置から前記識別データを受信することを条件として、当該受信した前記識別データと同一の識別データに対応づけて前記メモリに保存されている前記特定データを抽出する抽出手段と、前記中継手段が中継する通話の相手先である外部装置を特定する相手先データを取得する相手先データ取得手段と、前記相手先データ取得手段により取得される前記相手先データと等しい前記特定データが、前記メモリに保存されているかを判断する第２判断手段と、前記第２判断手段による判断結果を、前記子機に対して通知するデータ有無通知手段とを備え、前記通知手段は、前記抽出手段により抽出された前記特定データを、前記識別データ受信手段により受信した識別データで識別される子機へ通知する。
【０００７】
なお、本発明は、通信装置、該通信装置を制御する通信制御装置、該通信装置を含む通信システム、通信方法、通信装置を制御する通信制御プログラム、該通信制御プログラムを記録する記録媒体等の種々の態様で構成することができる。
【発明の効果】
【０００８】
請求項１記載の通信装置によれば、ユーザは、通信装置からの通知が行われた子機を用いて通話することで相手先の外部装置を認識し、その上で、送信データの送信指示を子機から出力することにより、通話の相手先へ送信データを送信することができる。よって、誤った相手先へ送信データを送信してしまう誤送信の発生を抑制できるという効果がある。
また、相手先データと特定データとが等しいと判断されることを条件として、送信データが通話の相手先である外部装置へ送信されるので、通話の相手先である外部装置へ送るべき送信データを送信できるという効果がある。
【０００９】
請求項２記載の通信装置によれば、請求項１記載の通信装置の奏する効果に加え、前記処理装置から受信した特定データが子機に対して通知されるので、子機の側では、受信した特定データを利用した処理を実行できるという効果がある。
【００１０】
【００１１】
請求項３記載の通信装置によれば、請求項１または２に記載の通信装置の奏する効果に加え、通知手段は、複数台の子機のうち、識別データで識別される子機に対して通知をするので、通信装置と接続可能な子機が複数台ある場合においても、子機を指定した処理を行うことができるという効果がある。
【００１２】
請求項４記載の通信装置によれば、請求項３記載の通信装置の奏する効果に加え、メモリに保存されている特定データのうち、受信した識別データと同一の識別データに対応づけてメモリに保存されている特定データが、受信した識別データで識別される子機へ通知されるので、子機毎に適切な特定データを通知することができるという効果がある。
【００１３】
請求項５記載の通信装置によれば、請求項４記載の通信装置の奏する効果に加え、相手先データと等しい特定データが、メモリに保存されているかが判断され、その判断結果が子機に通知されるので、子機の側では、相手先データと等しい特定データの有無に応じて、適切な処理を行うことができるという効果がある。
請求項６記載の通信装置によれば、ユーザは、通信装置からの通知が行われた子機を用いて通話することで相手先の外部装置を認識し、その上で、送信データの送信指示を子機から出力することにより、通話の相手先へ送信データを送信することができる。よって、誤った相手先へ送信データを送信してしまう誤送信の発生を抑制できるという効果がある。
また、通知手段は、複数台の子機のうち、識別データで識別される子機に対して通知をするので、通信装置と接続可能な子機が複数台ある場合においても、子機を指定した処理を行うことができるという効果がある。
また、メモリに保存されている特定データのうち、受信した識別データと同一の識別データに対応づけてメモリに保存されている特定データが、受信した識別データで識別される子機へ通知されるので、子機毎に適切な特定データを通知することができるという効果がある。
更に、相手先データと等しい特定データが、メモリに保存されているかが判断され、その判断結果が子機に通知されるので、子機の側では、相手先データと等しい特定データの有無に応じて、適切な処理を行うことができるという効果がある。
【００１４】
請求項７記載の通信装置によれば、請求項１に記載の通信装置の奏する効果に加え、受信した特定データで特定される外部装置に発呼し、その発呼した外部装置と子機との間の通話を中継した後に送信データを送信するので、誤送信の発生を抑制できるという効果がある。
【００１５】
請求項８記載の通信装置によれば、請求項１から７のいずれかに記載の通信装置の奏する効果に加え、送信データを受信した後は処理装置との間の接続が切断され、その後、子機と外部装置との間の通話の中継が開始されるので、第１接続手段および第２接続手段が共に無線通信により装置間を接続するものであっても、通話中における無線干渉の発生を抑制し、通話品質の低下を抑制できるという効果がある。
【００１６】
請求項９記載の通信システムによれば、請求項１記載の通信装置と同様の作用効果を奏する。さらに、子機においては、通信装置から通知された特定データが表示されるので、子機のユーザに特定データを視認させることができ、さらに、発呼先の外部装置をユーザに選択させることができるので、ユーザは、同一の特定データを処理装置と子機とのそれぞれに重複して入力する必要がなく、ユーザの手間を軽減できるという効果がある。
【図面の簡単な説明】
【００１７】
【図１】本発明の通信装置の一例であるＢＯＸを含む通信システムの電気的構成を示したブロック図である。
【図２】通信システムにおいて実現される手動送信機能のシーケンスの一例を示す概略図である。
【図３】ＢＯＸにおいて実行されるＦＡＸ送信処理を示すフローチャートの一部である。
【図４】ＢＯＸにおいて実行されるＦＡＸ送信処理を示すフローチャートの一部である。
【図５】子機において実行されるＦＡＸ手動送信処理を示すフローチャートである。
【図６】ＭＦＰにおいて実行されるＦＡＸモード処理を示すフローチャートである。
【図７】第２実施形態のＢＯＸにおいて実行されるＦＡＸ送信処理を示すフローチャートの一部である。
【図８】第２実施形態の子機において実行されるＦＡＸ手動送信処理を示すフローチャートである。
【発明を実施するための形態】
【００１８】
以下、本発明の好ましい実施形態について、添付図面を参照して説明する。図１は、本発明の通信装置の一実施形態である回線制御装置（以下「ＢＯＸ」と称す）１０と、多機能周辺装置（以下、「ＭＦＰ」と称す）３０と、子機６０とを含む通信システム１の電気的構成を示したブロック図である。ＢＯＸ１０は、電話回線網１００を使用した通信の制御を行う通信装置である。ＭＦＰ３０は、プリンタ機能、スキャナ機能、コピー機能、ＦＡＸ機能などを備え、外部装置へ送信するデータ（以下、ＦＡＸ送信データと称する）を作成する。子機６０は、電話回線網１００を介し外部装置との間で通話を行うデジタルコードレス電話機である。
【００１９】
特に、ＢＯＸ１０は、ＭＦＰ３０からＦＡＸ送信データを受信し、そのＦＡＸ送信データを外部装置へＦＡＸ送信するものであって、誤送信の発生を抑制できるように構成されている。以下、詳細を説明する。なお、本実施形態のＢＯＸ１０は、電話回線網１００を利用したＧ３ＦＡＸによりデータの送受を行うものとして説明するが、ＢＯＸ１０は、Ｇ４ＦＡＸ、ＩＰＦＡＸやＩｎｔｅｒｎｅｔＦＡＸによりＦＡＸ送信を行うものであっても良い。
【００２０】
ＢＯＸ１０には、ＣＰＵ１１、ＲＯＭ１２、ＲＡＭ１３、ＥＥＰＲＯＭ１４、無線ＬＡＮ送受信部１６、無線ＬＡＮアンテナ部１７、モデム１８、電話回線接続部１９、デジタルコードレス電話（ＤＣＬ）送受信部２０、ＤＣＬアンテナ部２１、パネル２２、ボタン入力部２３が設けられている。これらの構成要素は、入出力ポート１５を介して互いに通信可能に接続されている。
【００２１】
ＣＰＵ１１は、ＲＯＭ１２等に記憶される固定値やプログラム或いは、無線通信２０２，２０３を介して送受信される各種信号に従って、入出力ポート１５と接続された各部を制御する。ＲＯＭ１２は、書換不能なメモリであって、図３，図４を参照して後述する処理を実行するためのプログラムなどが格納されている。ＲＡＭ１３は、書換可能な揮発性のメモリである。ＥＥＰＲＯＭ１４は、書換可能な不揮発性のメモリであり、手動送信待ちテーブル１４ａが設けられる。手動送信待ちテーブル１４ａについては、図２を参照して後述する。
【００２２】
無線ＬＡＮ送受信部１６は、ＩＥＥＥ８０２．１１ｂ/ｇの規格に準拠した無線ＬＡＮにより、２．４ＧＨｚ帯を利用した無線通信２０２を行うための回路である。この無線ＬＡＮ送受信部１６により、ＭＦＰ３０との間がデータ通信可能に接続され、無線ＬＡＮアンテナ部１７を介して、各種のデータを構成するデジタル信号が送受信される。モデム１８は、ＦＡＸ機能によって送信するＦＡＸ送信データを、電話回線網１００に伝送可能な信号に変調して電話回線接続部１９を介して送信したり、電話回線網１００から電話回線接続部１９を介して入力された信号を受信し、画像データへ復調するものである。電話回線接続部１９は、電話回線網１００とＢＯＸ１０との間を接続するものであり、モデム１８からの指示に従って、回線を閉結または切断することにより、電話回線網１００を介した外部装置との間の接続状態を制御する。
【００２３】
ＤＣＬ送受信部２０は、２．４ＧＨｚ帯のデジタル方式の無線通信２０３により、ＤＣＬアンテナ部２１を介し、子機６０との間を無線接続するための回路である。ＤＣＬ送受信部２０によりＢＯＸ１０と子機６０との間で音声データおよび各種コマンドが送受信される。パネル２２は、ＢＯＸ１０の各種機能情報を表示する。ボタン入力部２３は、ＢＯＸ１０の各機能を実行するためのキー群である。
【００２４】
ＭＦＰ３０には、ＣＰＵ３１、ＲＯＭ３２、ＲＡＭ３３、ＥＥＰＲＯＭ３４、無線ＬＡＮ送受信部３６、無線ＬＡＮアンテナ部３７、プリンタ３８、スキャナ３９、パネル４０、ボタン入力部４１が設けられる。これらの構成要素は、入出力ポート３５を介して互いに通信可能に接続されている。
【００２５】
ＣＰＵ３１は、ＲＯＭ３２等に記憶される固定値やプログラム或いは、無線ＬＡＮ送受信部３６を介して送受信される各種信号に従って、各機能の制御や、入出力ポート３５と接続された各部を制御する。
【００２６】
ＲＯＭ３２は、ＭＦＰ３０で実行される制御プログラムなどを格納した書換不能なメモリであって、図６を参照して後述する処理を実行するプログラムなどが格納されている。ＲＡＭ３３は、書換可能な揮発性のメモリである。ＥＥＰＲＯＭ３４は、書換可能な不揮発性のメモリである。無線ＬＡＮ送受信部３６は上述した無線ＬＡＮ送受信部１６と同様に構成された回路であり、ＢＯＸ１０との間で無線通信２０２を行う。
【００２７】
プリンタ３８は印刷を実行するものであり、スキャナ３９は原稿の読み取りを実行するものである。パネル４０は、ＭＦＰ３０の各種機能情報を表示するものであり、液晶表示部の表示面にタッチパネルを重ねて構成されている。ユーザぱ、パネル４０に触れることで、各種指示をＭＦＰ３０に入力することができる。ボタン入力部４１は、ＭＦＰ３０の各機能を実行するためのキー群である。
【００２８】
子機６０には、ＣＰＵ６１、ＲＯＭ６２、ＤＣＬ送受信部６４、ＤＣＬアンテナ部６５、パネル６６、ボタン入力部６７が設けられる。これらの構成要素は、入出力ポート６３を介して互いに通信可能に接続されている。
【００２９】
ＣＰＵ６１は、ＲＯＭ６２等に記憶される固定値やプログラム或いは、ＤＣＬ送受信部６４を介して送受信される各種信号に従って、各機能の制御や、入出力ポート６３と接続された各部を制御する。
【００３０】
ＲＯＭ６２は、子機６０で実行される制御プログラムなどを格納した書換不能なメモリであって、図５を参照して後述する処理を実行するプログラムなどが格納されている。ＤＣＬ送受信部６４は上述したＤＣＬ送受信部２０と同様に構成され、ＢＯＸ１０との間の無線通信２０３を行う。パネル６６は、子機６０の各種機能情報を表示するものである。ボタン入力部６７は、子機６０の各機能を実行するためのキー群である。
【００３１】
ＢＯＸ１０には複数台のＭＦＰ３０を接続可能である。また、ＢＯＸ１０のＤＣＬ送受信部２０は、複数台の子機６０の各々とＢＯＸ１０との間を無線通信２０３により接続可能に構成されているが、各子機６０の構成はほぼ同様であるため、図１には、１台の子機６０のみ図示する。複数台の各子機６０は、各子機６０に予め割り当てられた固有の子機Ｎｏ．により識別される。
【００３２】
通信システム１により、外部装置へＦＡＸ送信する場合、ユーザは、「手動送信機能」と「自動送信機能」のいずれかを選択する。「手動送信機能」は、ＦＡＸ送信データの送信先の外部装置との間で通話を行ってからＦＡＸ送信データを送信する機能である。一方、「自動送信機能」は、通話を行わずにＦＡＸ送信データを送信する機能である。
【００３３】
図２は、通信システム１において実現される手動送信機能のシーケンスの一例を示す概略図である。なお、図２に示す各処理の詳細は図３から図６を参照して後述する。
【００３４】
まず、ＭＦＰ３０は、スキャナ３９による原稿スキャンを実行し、読み取った原稿に基づき、ＦＡＸ送信データを作成する。次に、ＭＦＰ３０は、ＦＡＸ送信データに、手動送信フラグと、ＦＡＸ電話番号と、手動送信子機Ｎｏ．とを対応づけて、ＢＯＸ１０へ送信する［１］。
【００３５】
手動送信フラグは、送信の種類を示すフラグであり、「手動送信機能」で送信する場合は「１」に設定され、「自動送信機能」で送信する場合は「０」に設置される。ＦＡＸ電話番号は、ユーザがＭＦＰ３０において入力した番号であって、ＦＡＸ送信データの送信先の外部装置を特定する番号である。ユーザは、ＭＦＰ３０に設けられた電話帳（図示せず）を利用して、ＦＡＸ電話番号を入力しても良い。
【００３６】
手動送信子機Ｎｏ．は、「手動送信機能」を実行する際に使用する子機６０を指定する子機Ｎｏ．である。ユーザは、使用したい子機６０の子機Ｎｏ．を、ＭＦＰ３０において指定する。ＭＦＰ３０は、指定された子機Ｎｏ．を、手動送信子機Ｎｏ．として設定し、ＢＯＸ１０へ通知する。
【００３７】
一方、ＢＯＸ１０は、無線ＬＡＮ送受信部１６による無線通信２０２を介してＭＦＰ３０から送られてくるＦＡＸ送信データ等を受信し、手動送信待ちテーブル１４ａに保存する。ＢＯＸ１０は、ＭＦＰ３０からＦＡＸ送信データを受信する毎に、当該受信したＦＡＸ送信データを、手動送信フラグと手動子機Ｎｏ．とＦＡＸ電話番号とに対応づけて、手動送信待ちテーブル１４ａに保存する。なお、同報送信すべきＦＡＸ送信データには、複数件のＦＡＸ電話番号を対応づけて、手動送信待ちテーブル１４ａに保存しても良い。
【００３８】
次にＢＯＸ１０は、無線ＬＡＮ接続断指示をＭＦＰ３０へ送信する［２］。そして、ＢＯＸ１０は、無線ＬＡＮ送受信部１６からのデータ送信を停止する。一方、ＭＦＰ３０は、無線ＬＡＮ接続断指示に基づき、無線ＬＡＮ送受信部３６からのデータ送信を停止する。すなわち、ＦＡＸ送信データを受信した後、ＢＯＸ１０は、ＭＦＰ３０との間の無線通信２０２を停止し、子機６０との間の無線通信２０３のみを継続する。
【００３９】
次に、ＢＯＸ１０は、ＦＡＸ送信データをＭＦＰ３０から受信したこと示す通知（以下、手動送信通知と称する）と、ＭＦＰ３０から受信したＦＡＸ電話番号とを子機６０に通知する［３］。子機６０において、ユーザは、ＢＯＸ１０から子機６０へ通知されたＦＡＸ電話番号を、発呼先電話番号として設定することができる。そして、ユーザが、ボタン入力部６７に含まれる通話ボタンを押下すると、子機６０は、発呼先電話番号と発呼指示とをＢＯＸ１０へ送信する［４］。
【００４０】
ＢＯＸ１０は、子機６０から発呼指示および発呼先電話番号を受信すると、回線を閉結して発呼信号を送出し［５］、子機６０から受信した発呼先電話番号を送出することにより［６］、発呼先電話番号で特定される外部装置を呼び出す。
【００４１】
そして、相手先の外部装置が呼び出しに応答し、外部装置との間が通信可能な接続状態とされると、ＢＯＸ１０は、外部装置と子機６０との間における通話の中継を開始する［７］。このときＢＯＸ１０とＭＦＰ３０との間の無線ＬＡＮ接続は切断されているので、無線ＬＡＮ送受信部１６による無線通信２０２とＤＣＬ送受信部２０による無線通信２０３とが同じ周波数帯を利用する場合であっても、電波干渉の発生が抑制され、通話品質は良好に保たれる。
【００４２】
そして、子機６０と外部装置との間が通信可能な接続状態にある間、子機６０で通話するユーザが、子機６０のボタン入力部６７に含まれるＦＡＸ送信ボタンを押下すると、子機６０は、ＢＯＸ１０に対してＦＡＸ送信データの送信指示を出力する［８］。
【００４３】
一方、ＢＯＸ１０は、子機６０からＦＡＸ送信データの送信指示を受信した場合、通話の相手先である外部装置に対して、ＭＦＰ３０から受信したＦＡＸ送信データを送信する［９］。
【００４４】
通信システム１によれば、ユーザがＭＦＰ３０において入力したＦＡＸ電話番号は、ＢＯＸ１０から子機６０へ通知されるので、ユーザは、子機６０へ通知されたＦＡＸ電話番号を利用して、そのＦＡＸ電話番号の外部装置へ発呼することができる。したがって、ユーザは、ＭＦＰ３０において入力したＦＡＸ電話番号を、子機６０において再度入力する必要がない。そして、ユーザは、通話により相手先の外部装置を認識した上で、子機６０のＦＡＸ送信ボタンを押下することにより、ＢＯＸ１０から通話の相手先へ、ＦＡＸ送信データを送信させることができる。よって、誤った相手先へＦＡＸ送信データを送信してしまうという誤送信の発生を抑制できる。すなわち、誤った相手先へ発呼してしまった場合、ユーザは通話により自分のミスに気づくので、ＦＡＸ送信ボタンを押さずに回線を切断することができ、誤った相手先へＦＡＸ送信データを送らずに済む。
【００４５】
図３は、ＢＯＸ１０のＣＰＵ１１が実行するＦＡＸ送信処理を示すフローチャートである。このＦＡＸ送信処理は、ＦＡＸ送信を実行する処理であり、ＢＯＸ１０の電源投入後、繰り返し実行される。
【００４６】
まず、ＣＰＵ１１は、ＭＦＰ３０からデータを受信したか否かを判断する（Ｓ３０２）。Ｓ３０２の判断が否定される場合（Ｓ３０２：Ｎｏ）、処理を待機するが、Ｓ３０２の判断が肯定される場合（Ｓ３０２：Ｙｅｓ）、ＣＰＵ１１は、ＭＦＰ３０から送られてくる手動送信フラグ、ＦＡＸ電話番号、ＦＡＸ送信データ、手動送信子機Ｎｏ．を受信し、手動送信待ちテーブル１４ａに保存する（Ｓ３０４）。
【００４７】
次に、ＣＰＵ１１は、Ｓ３０４において受信した手動送信フラグが「１」か否かを判断する（Ｓ３０６）。Ｓ３０６の判断が肯定される場合（Ｓ３０６：Ｙｅｓ）、すなわち、「手動送信機能」が選択されている場合、ＣＰＵ１１は、無線ＬＡＮ接続断指示をＭＦＰ３０へ送信し（Ｓ３０８）、ＭＦＰ３０との間の無線ＬＡＮ接続を断つ（Ｓ３１０）。
【００４８】
次に、ＣＰＵ１１は、Ｓ３０４で受信した手動送信子機Ｎｏ．で識別される子機６０に対し、手動送信通知を送信する（Ｓ３１２）。これにより、手動送信すべきＦＡＸ送信データをＢＯＸ１０が受信したことを、ユーザ自身が選択した子機６０に通知することができる。次に、ＣＰＵ１１は、Ｓ３０４により受信した手動送信子機Ｎｏ．と同一の手動送信子機Ｎｏ．に対応づけて手動送信待ちテーブル１４ａに保存されているＦＡＸ電話番号を抽出する（Ｓ３１３）。そして、ＣＰＵ１１は、抽出されたＦＡＸ電話番号を、同じ子機６０へ通知する（Ｓ３１４）。このようにすれば、通信システム１に複数台の子機６０が含まれる場合であっても、子機６０毎に適切なＦＡＸ電話番号を通知することができる。また、Ｓ３０４により受信したＦＡＸ電話番号に加え、過去、何らかの事情により送信することができなかったＦＡＸ送信データが手動送信待ちテーブル１４ａに蓄積されていれば、それらのＦＡＸ送信データに対応づけられたＦＡＸ電話番号も合せて、子機６０へ通知することができる。その結果、手動送信待ちテーブル１４ａに蓄積されたままとなっているＦＡＸ送信データの存在を、ユーザに思い出させることができる。
【００４９】
次に、ＣＰＵ１１は、子機６０から発呼指示および発呼先電話番号を受信したか否かを判断する（Ｓ３２０）。Ｓ３２０の判断が否定される場合（Ｓ３２０：Ｎｏ）、ＣＰＵ１１は処理を待機するが、Ｓ３２０の判断が肯定される場合（Ｓ３２０：Ｙｅｓ）、すなわち、発呼先電話番号を子機６０から取得した場合、ＣＰＵ１１は、受信した発呼先電話番号へダイヤルする（Ｓ３２２）。そして、ＣＰＵ１１は、ＢＯＸ１０を子機待機モードから子機通話モードへ移行させ（Ｓ３２４）、子機と外部装置との間の通話の中継を開始する。なお、子機通話モードとは、音声パスおよび音量を設定することにより、子機６０と電話回線網１００との間の音声データの送受を可能としたモードであり、子機待機モードとは、子機６０と電話回線網１００との間の音声データの送受を不可能としたモードである。
【００５０】
次に、ＣＰＵ１１は、子機６０から取得した発呼先電話番号と、Ｓ３０４においてＭＦＰ３０から受信したＦＡＸ電話番号とが等しいか否かを判断する（Ｓ３２６）。この判断が肯定される場合（Ｓ３２６：Ｙｅｓ）、ＣＰＵ１１は、子機６０からＦＡＸ送信データの送信指示を受信したか否かを判断する（Ｓ３３２）。Ｓ３３２の判断が否定される間（Ｓ３３２：Ｎｏ）、ＣＰＵ１１は、通話の中継を継続する。なお、図３のフローチャートでは図示を省略しているが、ＢＯＸ１０は、ＦＡＸ送信データの送信指示よりも先に、子機６０から回線切断指示を受信した場合、回線を切断し、子機待機モードへ移行する。すなわち、ＦＡＸ送信データの送信を実行せず、通話の中継を終了する。
【００５１】
一方、子機６０からＦＡＸ送信データの送信指示を受信すると（Ｓ３３２：Ｙｅｓ）、ＣＰＵ１１は、通話の相手先である外部装置との間の接続状態を保持しつつ、その外部装置に対し、Ｓ３０４で受信したＦＡＸ送信データ（すなわち手動送信間位置テーブル１４ａに記憶されるＦＡＸ送信データのうち、最も新しく保存されたＦＡＸ送信データ）の送信を開始する（Ｓ３３３）。子機６０から取得した発呼先電話番号と、Ｓ３０４で受信したＦＡＸ電話番号とが等しいと判断されることを条件として、ＦＡＸ送信データを送信するので、通話の相手先である外部装置へ送るべきＦＡＸ送信データを送信できる。
【００５２】
一方、Ｓ３２６の判断が否定される場合（Ｓ３２６：Ｎｏ）、次に、ＣＰＵ１１は、子機６０から取得した発呼先電話番号と等しいＦＡＸ電話番号が、手動送信待ちテーブル１４ａに保存されているかを判断する（Ｓ３２８）。そして、その判断結果を、子機６０に対して通知する（Ｓ３３０）。したがって、子機６０の側では、発呼先電話番号と等しいＦＡＸ電話番号が手動送信待ちテーブル１４ａに蓄積されているか否かに応じて、適切な処理を行うことができる。詳細は、図５を参照して後述する。
【００５３】
次に、ＣＰＵ１１は、子機６０からＦＡＸ送信データの送信指示を受信したか否かを判断する（Ｓ３３２）。子機６０からのＦＡＸ送信データの送信指示を受信した場合（Ｓ３３２：Ｙｅｓ）、ＣＰＵ１１は、通話の相手先である外部装置に対し、手動送信待ちテーブル１４ａに保存されている、子機６０から取得した発呼先電話番号と等しいＦＡＸ電話番号が対応づけられているＦＡＸ送信データの送信を開始する（Ｓ３３３）。
【００５４】
一方、Ｓ３０６の判断が否定される場合（Ｓ３０６：Ｎｏ）、すなわち、「自動送信機能」が選択されている場合、ＣＰＵ１１は、Ｓ３０４で受信したＦＡＸ電話番号を発呼先電話番号として設定し（Ｓ３３４）、発呼先電話番号へダイヤルし（Ｓ３３５）、通話の相手先である外部装置に対し、Ｓ３０４において受信したＦＡＸ送信データの送信を開始する（Ｓ３３３）。
【００５５】
図４は、ＦＡＸ送信処理の続きを示すフローチャートである。図４に示すように、次にＣＰＵ１１は、相手先の外部装置からＣＥＤ信号を検出したか否かを判断する（Ｓ３３６）。Ｓ３３６の判断が否定される間（Ｓ３３６：Ｎｏ）、ＣＰＵ１１は処理を待機するが、Ｓ３３６の判断が肯定されると（Ｓ３３６：Ｙｅｓ）、ＣＰＵ１１は、これから外部装置へ送ろうとするＦＡＸ送信データに対応づけられた手動送信フラグが、「１」か否かを判断する（Ｓ３３８）。
【００５６】
Ｓ３３８の判断が肯定される場合（Ｓ３３８：Ｙｅｓ）、すなわち、「手動送信機能」が選択されている場合、ＣＰＵ１１は、子機６０へＦＡＸ送信中であることを通知し（Ｓ３４０）、ＢＯＸ１０を子機通話モードから子機待機モードに移行させることにより、通話の中継を終了する（Ｓ３４２）。一方、Ｓ３３８の判断が否定される場合（Ｓ３３８：Ｎｏ）、すなわち、「自動送信機能」が選択されている場合、ＣＰＵ１１は、Ｓ３４０，Ｓ３４２の処理をスキップする。
【００５７】
次に、ＣＰＵ１１は、ＭＦＰ３０へ無線ＬＡＮ接続要求を送信し、ＭＦＰ３０との間に無線ＬＡＮリンクをはる（Ｓ３４４）。そして、ＣＰＵ１１は、ＭＦＰ３０との間の無線通信２０２により、ＭＦＰ３０へＦＡＸ送信中を通知する（Ｓ３４６）。なお、ＭＦＰ３０との間に無線ＬＡＮリンクをはる前に、子機６０に対してＦＡＸ送信中であることを通知することにより（Ｓ３４０）、子機６０への通知が電波干渉により失敗することを回避できる。
【００５８】
次に、ＣＰＵ１１は、ＦＡＸ送信データの送信を終了したか否かを判断し（Ｓ３４８）、Ｓ３４８の判断が否定される間は（Ｓ３４８：Ｎｏ）、外部装置へのＦＡＸ送信データの送信を継続する。一方、Ｓ３４８の判断が肯定される場合（Ｓ３４８：Ｙｅｓ）、ＣＰＵ１１は、ＭＦＰ３０へＦＡＸ送信完了を通知する（Ｓ３５０）。次に、ＣＰＵ１１は、手動送信待ちテーブル１４ａから、該当の項目、すなわち、送信済みとなったＦＡＸ送信データおよびそれに対応する各種データを削除し（Ｓ３５２）、子機６０へＦＡＸ送信完了を通知し（Ｓ３５４）、処理を終了する。
【００５９】
図５は、子機６０のＣＰＵ６１が実行するＦＡＸ手動送信処理を示すフローチャートである。このＦＡＸ手動送信処理は、ＭＦＰ３０において「手動送信機能」が選択された場合に、子機６０において実行される処理であり、子機６０の電源投入後、繰り返し実行される。
【００６０】
まず、ＣＰＵ６１は、手動送信通知を受信したか否かを判断する（Ｓ５０２）。Ｓ５０２の判断が否定される間（Ｓ５０２：Ｎｏ）、ＣＰＵ６１は処理を待機するが、Ｓ５０２の判断が肯定されると（Ｓ５０２：Ｙｅｓ）、ＣＰＵ６１は、ＢＯＸ１０からＦＡＸ電話番号を受信する（Ｓ５０４）。ＢＯＸ１０の手動送信待ちテーブル１４ａに、子機６０の子機Ｎｏ．が対応づけられたＦＡＸ電話番号が複数件、蓄積されている場合、子機６０は、複数件のＦＡＸ電話番号をＢＯＸ１０から受信する。
【００６１】
次に、ＣＰＵ６１は、受信したＦＡＸ電話番号のうち、最新のＦＡＸ電話番号（すなわち、手動送信待ちテーブル１４ａに最も新しく追加されたＦＡＸ電話番号）を発呼先電話番号の初期値として設定し（Ｓ５０６）、スピーカ（図示せず）から報知音を出力させる（Ｓ５０７）。そして、ＣＰＵ６１は、発呼先電話番号をパネル６６に表示し（Ｓ５０８）、複数件のＦＡＸ電話番号を受信したか否かを判断する（Ｓ５１０）。
【００６２】
Ｓ５１０の判断が肯定される場合（Ｓ５１０：Ｙｅｓ）、ＣＰＵ６１は、ボタン入力部６７に含まれる上下キーが操作されたか否かを判断する（Ｓ５１２）。Ｓ５１２の判断が肯定される場合（Ｓ５１２：Ｙｅｓ）、ＣＰＵ６１は、受信した複数件のＦＡＸ電話番号のうち、先に表示したＦＡＸ電話番号の次のＦＡＸ電話番号をパネル６６に表示し、発呼先電話番号として設定し（Ｓ５１４）、Ｓ５２０の処理に移行する。
【００６３】
Ｓ５１０またはＳ５１２の判断が否定される場合（Ｓ５１０，Ｓ５１２：Ｎｏ）、ＣＰＵ６１は、数値を入力するためのダイヤルキーが押下されたか否かを判断する（Ｓ５１６）。Ｓ５１６の判断が肯定される場合（Ｓ５１６：Ｙｅｓ）、ＣＰＵ６１は、入力された数値に基づいて発呼先電話番号を修正するが（Ｓ５１８）、Ｓ５１６の判断が否定される場合（Ｓ５１６：Ｎｏ）、ＣＰＵ６１は、Ｓ５１８の処理をスキップし、Ｓ５２０の処理に移行する。
【００６４】
次に、通話ボタンがユーザにより押下されたか否かを判断する（Ｓ５２０）。Ｓ５２０の判断が否定される場合（Ｓ５２０：Ｎｏ）、Ｓ５０８に戻り処理を繰り返す。一方、Ｓ５２０の判断が肯定される場合（Ｓ５２０：Ｙｅｓ）、ＣＰＵ６１は、設定された発呼先電話番号をＢＯＸ１０へ通知し、発呼指示をする（Ｓ５２２）。これにより、ユーザにより選択されたＦＡＸ電話番号で特定される外部装置に対する発呼を、ＢＯＸ１０に指示することができる。
【００６５】
ＢＯＸ１０から受信したＦＡＸ電話番号を、そのまま発呼先電話番号として設定する場合、ＭＦＰ３０において入力したＦＡＸ電話番号を子機６０において再入力する手間を省くことができる。また、ＢＯＸ１０から受信したＦＡＸ電話番号を修正することもできるので、他の外部装置へ電話をかけることもできる。
【００６６】
次に、ＣＰＵ６１は、子機６０を通話モードに移行させる（Ｓ５２４）。そして、外部装置が呼び出しに応答すると、子機６０と外部装置との間で通話を行うことが可能となる。次に、ＣＰＵ６１は、ＢＯＸ１０へ通知した発呼先電話番号が、ＢＯＸ１０から受信したＦＡＸ電話番号と等しいか否かを判断する（Ｓ５２６）。
【００６７】
Ｓ５２６の判断が肯定される場合（Ｓ５２６：Ｙｅｓ）、すなわち、ＢＯＸ１０から受信したＦＡＸ電話番号が修正されずに、そのまま発呼先電話番号として設定された場合、ＣＰＵ６１は、パネル６６に、メッセージ例えば「ＦＡＸ送信しますか」を表示する（Ｓ５２８）。次に、ＣＰＵ６１は、ＦＡＸ送信ボタンが押下されたか否かを判断する（Ｓ５３０）。Ｓ５３０の判断が否定される場合（Ｓ５３０：Ｎｏ）、ユーザは通話を継続することができる。なお、図５のフローチャートでは図示を省略するが、通話の継続中、子機６０において、切キーが押下された場合、ＣＰＵ６１は、回線切断指示をＢＯＸ１０に出力し、子機６０を待機モードへ移行させる。
【００６８】
一方、Ｓ５３０の判断が肯定される場合（Ｓ５３０：Ｙｅｓ）、ＣＰＵ６１は、ＢＯＸ１０へ、ＦＡＸ送信データの送信指示を出力する（Ｓ５３２）。そして、ＣＰＵ６１は、ＢＯＸ１０からＦＡＸ送信中の通知を受信し（Ｓ５３４）、パネル６６にメッセージ例えば「ＦＡＸ送信中」を表示する（Ｓ５３６）。したがって、ユーザは、ＦＡＸ送信データの送信指示が確実にＢＯＸ１０へ送信されたことを認識できる。また、ユーザは、子機６０を手に持ちながら、ＭＦＰ３０において「手動送信機能」の実行を指示し、子機６０で通話をしながらＭＦＰ３０から離れる場合がある。そのような場合においても、ユーザは、子機６０のパネル６６に表示されるメッセージを確認することにより、ＦＡＸ送信の状況を知ることができる。次に、ＣＰＵ６１は、子機６０を通話モードから待機モードへ移行させ（Ｓ５３８）、以降の通話を禁止する。
【００６９】
次にＣＰＵ６１は、ＢＯＸ１０からＦＡＸ送信完了の通知を受信すると（Ｓ５４０）、パネル６６に、メッセージ例えば「ＦＡＸ送信完了」を表示し（Ｓ５４２）、図示しないスピーカから報知音を出力させ（Ｓ５４４）、スタンバイに戻り、処理を終了する。メッセージと報知音の出力により、ユーザは、ＦＡＸ送信の完了を知ることができる。
【００７０】
一方、Ｓ５２６の判断が否定される場合（Ｓ５２６：Ｎｏ）、すなわち、ＢＯＸ１０から受信したＦＡＸ電話番号を、ユーザが修正して、発呼先電話番号を設定した場合、ＣＰＵ６１は、ＢＯＸ１０から通知される手動送信データ有無を受信する（Ｓ５４６）。
【００７１】
現在通話中の相手である外部装置宛のＦＡＸ送信データが、手動送信待ちテーブル１４ａに有ることがＢＯＸ１０から通知された場合（Ｓ５４８：Ｙｅｓ）、ＣＰＵ６１は、Ｓ５２８からＳ５４４の処理を実行する。すなわち、ユーザによりＦＡＸ送信ボタンが押下されたか否かを判断し、押下された場合は、ＦＡＸ送信データの送信をＢＯＸ１０へ指示する。
【００７２】
一方、通話の相手である外部装置宛のＦＡＸ送信データが、手動送信待ちテーブル１４ａには無いことがＢＯＸ１０から通知された場合（Ｓ５４８：Ｎｏ）、ＣＰＵ６１は、ボタン入力部６７に含まれる切キーが押下されたか否かを判断する（Ｓ５５０）。Ｓ５５０の判断が否定される間（Ｓ５５０：Ｎｏ）、ＣＰＵ６１は処理を待機する。一方、Ｓ５５０の判断が肯定されると（Ｓ５５０：Ｙｅｓ）、ＣＰＵ６１は、子機６０を通話モードから待機モードへ移行させ（Ｓ５５２）、スタンバイに戻り、処理を終了する。
【００７３】
このように、送信すべきＦＡＸ送信データが手動送信待ちテーブル１４ａに記憶されていない場合、子機６０のＣＰＵ１１は、ユーザによるＦＡＸ送信データの送信指示の入力を受け付けない。よって、誤った相手先へＦＡＸ送信データが送信されてしまうという誤送信の発生を回避することができる。
【００７４】
図６は、ＭＦＰ３０のＣＰＵ３１が実行するＦＡＸモード処理を示すフローチャートである。このＦＡＸモード処理は、ＭＦＰ３０から外部装置へＦＡＸ送信するための処理であり、ＭＦＰ３０の電源投入後、繰り返し実行される。
【００７５】
まず、ＣＰＵ３１は、ＭＦＰ３０がＦＡＸモードに設定されているか否かを判断する（Ｓ６０２）。Ｓ６０２の判断が否定される間（Ｓ６０２：Ｎｏ）、ＣＰＵ３１は処理を待機するが、Ｓ６０２の判断が肯定されると（Ｓ６０２：Ｙｅｓ）、ＣＰＵ３１はパネル４０に、メッセージ例えば「ダイヤルして下さい」、「子機通話してからＦＡＸ送信スタート」、「今すぐＦＡＸ送信スタート」を表示する（Ｓ６０４）。
【００７６】
次に、ＣＰＵ３１は、ダイヤル入力がされたか否か、すなわち、ＦＡＸ電話番号の各桁を構成する数字が入力されたか否かを判断する（Ｓ６０６）。Ｓ６０６の判断が肯定される場合（Ｓ６０６：Ｙｅｓ）、ＣＰＵ３１は、入力された数値をＦＡＸ電話番号として設定する（Ｓ６０８）。一方、Ｓ６０６の判断が否定される場合（Ｓ６０６：Ｎｏ）、ＣＰＵ３１は、Ｓ６０８をスキップする。
【００７７】
次に、ＣＰＵ３１は、パネル４０に表示されたメッセージ「子機通話してからＦＡＸ送信スタート」にユーザが指などを触れることにより、「手動送信機能」をユーザが選択したか否かを判断する（Ｓ６１０）。Ｓ６１０の判断が肯定される場合（Ｓ６１０：Ｙｅｓ）、ＣＰＵ３１は、手動送信フラグを「１」に設定し（Ｓ６１２）、次に、子機６０が複数台登録されているか否かを判断する（Ｓ６１４）。
【００７８】
Ｓ６１４の判断が肯定される場合（Ｓ６１４：Ｙｅｓ）、ＣＰＵ３１は、パネル４０にメッセージ例えば「子機Ｎｏ．は？」を表示する（Ｓ６１６）。次に、ＣＰＵ３１は、ユーザから子機Ｎｏ．の入力があったか否かを判断する（Ｓ６１８）。Ｓ６１８の判断が否定される間（Ｓ６１８：Ｎｏ）、ＣＰＵ３１は処理を待機する。一方、Ｓ６１８の判断が肯定されると（Ｓ６１８：Ｙｅｓ）、ＣＰＵ３１は、入力された子機Ｎｏ．を手動送信子機Ｎｏ．として設定し（Ｓ６２０）、Ｓ６２６の処理に移行する。なお、Ｓ６１４の判断が否定される場合（Ｓ６１４：Ｎｏ）、ＣＰＵ３１は、Ｓ６１６からＳ６２０の処理をスキップし、Ｓ６２６の処理に移行する。
【００７９】
一方、Ｓ６１０の判断が否定される場合（Ｓ６１０：Ｎｏ）、ＣＰＵ３１は、パネル４０に表示されたメッセージ「今すぐＦＡＸ送信スタート」にユーザが指などを触れることにより、「自動送信機能」をユーザが選択したか否かを判断する（Ｓ６２２）。Ｓ６２２の判断が否定される場合（Ｓ６２２：Ｎｏ）、ＣＰＵ３１はＳ６０６に戻り処理を繰り返す。一方、Ｓ６２２の判断が肯定される場合（Ｓ６２２：Ｙｅｓ）、ＣＰＵ３１は手動送信フラグを「０」に設定し（Ｓ６２４）、Ｓ６２６に移行する。
【００８０】
次に、ＣＰＵ３１は、スキャナ３９を駆動し、スキャナ３９の図示しない原稿台に載置された原稿をスキャンし（Ｓ６２６）、これに基づいてＦＡＸ送信データを作成する。そして、ＣＰＵ３１は、パネル４０にメッセージ例えば「ＦＡＸ転送中」を表示する（Ｓ６２８）。そして、ＣＰＵ３１は、作成したＦＡＸ送信データに、手動送信フラグ、ＦＡＸ電話番号、手動送信子機Ｎｏ．を対応づけ、無線通信２０２によりＢＯＸ１０へ送信する（Ｓ６３０）。次に、ＣＰＵ３１は、Ｓ６３０において送信した手動送信フラグが「１」であるか否かを判断する（Ｓ６３２）。
【００８１】
Ｓ６３２の判断が肯定される場合（Ｓ６３２：Ｙｅｓ）、次に、ＣＰＵ３１は、ＢＯＸ１０から無線ＬＡＮ接続断指示があったか否かを判断する（Ｓ６３４）。Ｓ６３４の判断が否定される間（Ｓ６３４：Ｎｏ）、ＣＰＵ３１は処理を待機する。一方、Ｓ６３４の判断が肯定されると（Ｓ６３４：Ｙｅｓ）、ＣＰＵ３１は、無線ＬＡＮ送受信部３６からのデータの送信を停止してＢＯＸ１０との間の無線ＬＡＮ接続を断つ（Ｓ６３６）。
【００８２】
次に、ＣＰＵ３１は、ＢＯＸ１０から無線ＬＡＮ接続要求があったか否かを判断する（Ｓ６３８）。Ｓ６３８の判断が否定される間（Ｓ６３８：Ｎｏ）、ＣＰＵ３１は処理を待機するが、Ｓ６３８の判断が肯定されると（Ｓ６３８：Ｙｅｓ）、ＣＰＵ３１は無線ＬＡＮ送受信部３６からのデータの送信を再開し、ＢＯＸ１０との間に無線ＬＡＮリンクをはる（Ｓ６４０）。なお、Ｓ６３２の判断が否定される場合（Ｓ６３２：Ｎｏ）、ＣＰＵ３１は、Ｓ６３４からＳ６４０の処理をスキップする。
【００８３】
そして、ＦＡＸ送信中であることが、ＢＯＸ１０から通知されると（Ｓ６４２）、ＣＰＵ３１は、パネル４０にメッセージ例えば「ＦＡＸ送信中」を表示する（Ｓ６４４）。よって、ユーザがＭＦＰ３０の近傍にいる場合であっても、ＢＯＸ１０の状況をユーザに知らせることができる。次にＣＰＵ３１は、ＢＯＸ１０からＦＡＸ送信完了を通知されたか否かを判断し（Ｓ６４６）、Ｓ６４６の判断が否定される間（Ｓ６４６：Ｎｏ）、ＣＰＵ３１は処理を待機する。一方、Ｓ６４６の判断が肯定されると（Ｓ６４６：Ｙｅｓ）、ＣＰＵ３１は、パネル４０にメッセージ例えば「ＦＡＸ送信完了」を表示し（Ｓ６４８）、処理を終了する。
【００８４】
第１実施形態の通信システム１では、ＭＦＰ３０において入力されたＦＡＸ電話番号をＢＯＸ１０から子機６０に通知していた。しかしながら、以下に第２実施形態として説明するように、通信システム１は、ＢＯＸ１０から子機６０へＦＡＸ電話番号を通知しない形態であっても良い。なお、第２実施形態の通信システム１において、第１実施形態の通信システム１と同一の構成については、同一の符号を付して説明を省略する。また、第２実施形態のＭＦＰ３０が実行するＦＡＸモード処理は、図６を参照して説明した第１実施形態のＦＡＸモード処理と同一の処理であるため、図示および説明を省略する。
【００８５】
図７は、第２実施形態のＢＯＸ１０のＣＰＵ１１が実行するＦＡＸ送信処理を示すフローチャートである。なお、図３を参照して説明した第１実施形態のＦＡＸ送信処理に含まれるステップと同一のステップについては、同じステップ番号を付して説明を省略する。
【００８６】
図７に示すように、ＣＰＵ１１は、ＭＦＰ３０からＦＡＸ送信データを受信する場合、第１実施形態と同様に、手動送信通知を子機６０に通知するが（Ｓ３１２）、ＭＦＰ３０から受信したＦＡＸ電話番号を子機６０へ通知するのではなく、発呼先電話番号として設定し（Ｓ７０２）、その発呼先電話番号にダイヤルする（Ｓ３２２）。
【００８７】
そして、ＣＰＵ１１は、ＢＯＸ１０を子機通話モードへ移行させ（Ｓ３２４）、相手先の外部装置が応答したことを示す極反を検出したか否かを判断する（Ｓ７０４）。Ｓ７０４の判断が否定される間（Ｓ７０４：Ｎｏ）、ＣＰＵ１１は、Ｓ７０６の処理をスキップするが、Ｓ７０４の判断が肯定されると（Ｓ７０４：Ｙｅｓ）、ＣＰＵ１１は、極反の検出を子機６０へ通知する（Ｓ７０６）。そして、ＣＰＵ１１は、ＭＦＰ３０から受信したＦＡＸ電話番号で特定される外部装置と子機６０との間の通話を中継する。
【００８８】
なお、第２実施形態のＦＡＸ送信処理におけるＳ３３３以降の処理は、図４の処理と同一であるため、図示および詳細な説明を省略する。
【００８９】
図８は、第２実施形態の子機６０のＣＰＵ６１が実行するＦＡＸ手動送信処理を示すフローチャートである。なお、図５を参照して説明した第１実施形態のＦＡＸ手動送信処理に含まれるステップと同一のステップについては、同じステップ番号を付して説明を省略する。
【００９０】
第２実施形態では、子機６０を通話モードへ移行させた後（Ｓ５２４）、ＣＰＵ６１は、ＢＯＸ１０から極反検出通知があったか否かを判断する（Ｓ８０２）。Ｓ８０２の判断が肯定される場合（Ｓ８０２：Ｙｅｓ）、ＣＰＵ６１は、図示しないスピーカから報知音を出力させ（Ｓ８０４）、ＦＡＸ送信ボタンが押下されたか否かを判断する（Ｓ５３０）。一方、Ｓ８０２の判断が否定される場合（Ｓ８０２：Ｎｏ）、ＣＰＵ６１は、Ｓ８０４をスキップする。
【００９１】
第２実施形態のＢＯＸ１０によれば、ＦＡＸ電話番号をＭＦＰ３０から受信することを条件として、当該受信したＦＡＸ電話番号で特定される前記外部装置に発呼し、その発呼した外部装置と子機６０との間の通話を中継した後に、ＦＡＸ送信データを送信するので、誤った相手先へ送信データを送信してしまうという誤送信の発生を抑制できる。
【００９２】
上記実施形態において、電話回線網１００が通信網の一例に相当し、ＤＣＬ送受信部２０およびＤＣＬアンテナ部２１が第１接続手段の一例に相当し、ＭＦＰ３０が処理装置の一例に相当し、無線ＬＡＮ送受信部１６および無線ＬＡＮアンテナ部１７が第２接続手段の一例に相当し、ＢＯＸ１０が通信装置の一例に相当する。Ｓ３０４を実行するＣＰＵ１１が送信データ受信手段、特定データ受信手段、識別データ受信手段および保存手段の一例に相当し、ＦＡＸ送信データが送信データの一例に相当する。Ｓ３１２，Ｓ３１４を実行するＣＰＵ１１が通知手段の一例に相当し、Ｓ３２４を実行するＣＰＵ１１が中継手段の一例に相当し、Ｓ３３３を実行するＣＰＵ１１が送信手段の一例に相当する。ＦＡＸ電話番号が特定データの一例に相当し、Ｓ３２０を実行するＣＰＵ１１が相手先データ取得手段の一例に相当し、発呼先電話番号が相手先データの一例に相当する。Ｓ３２６を実行するＣＰＵ１１が第１判断手段の一例に相当し、手動送信待ちテーブル１４ａがメモリの一例に相当する。Ｓ３２８を実行するＣＰＵ１１が第２判断手段の一例に相当し、Ｓ３３０を実行するＣＰＵ１１がデータ有無通知手段の一例に相当し、Ｓ３１０を実行するＣＰＵ１１が切断手段の一例に相当する。子機Ｎｏ．が識別データの一例に相当する。Ｓ３１３を実行するＣＰＵ１１が抽出手段の一例に相当する。Ｓ５０８を実行するＣＰＵ１１が表示手段の一例に相当する。Ｓ５２２を実行するＣＰＵ１１が発呼指示手段の一例に相当し、図７のＳ３２２を実行するＣＰＵ１１が発呼手段の一例に相当する。
【００９３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９４】
例えば、上記実施形態において、通信装置の一例であるＢＯＸ１０と処理装置の一例であるＭＦＰ３０との間は、無線で接続されるものとして説明した。しかしながら、通信装置と処理装置との間が有線で接続される場合にも、本発明を適用可能である。
【００９５】
また、上記実施形態では、処理装置の一例であるＭＦＰ３０がスキャナ３９を備え、原稿をスキャナ３９により読み取ってＦＡＸ送信データを生成し、ＢＯＸ１０に送信するものであったが、処理装置は、スキャナを備えないものであっても良く、例えば、装着されたメモリカードからデータを読み込み、その読み込んだデータに基づき送信データを生成し、ＢＯＸ１０へ送信するものであっても良い。
【００９６】
また、上記実施形態では、ＦＡＸ電話番号が特定データの一例であったが、例えば、特定データは、宛先の氏名等、他の情報であっても良い。
【００９７】
また、上記実施形態では、ＭＦＰ３０とＢＯＸ１０とが別体に構成されていたが、これらが一体的に構成されている場合にも本発明は適用可能である。その場合は、スキャナ３９が処理装置の一例に相当し、ＭＦＰ３０の構成要素とＢＯＸ１０の構成要素とを一体的に備えた装置が通信装置の一例に相当する。
【００９８】
また、上記実施形態では、通信網の一例として電話回線網１００を例示していたが、通信網は、例えばＩＳＤＮ回線、ＣＡＴＶ回線、インターネットであっても良く、また、通信システム１は、音声データをパケットで送受信するいわゆるＩＰ電話システムであっても良い。
【００９９】
また、上記第１実施形態のＢＯＸ１０は、子機６０から取得した発呼先電話番号と、手動送信待ちテーブル１４ａに記憶されたＦＡＸ電話番号とが等しいという条件を満たす場合に、ＦＡＸ送信データを送信していたが、当該条件に加え、さらに、通話が中継される子機６０の子機Ｎｏ．と手動送信待ちテーブル１４ａに記憶された手動送信子機Ｎｏ．とが等しいという条件をも満たす場合に、送信するように構成しても良い。
【０１００】
また、通信システム１において、子機６０での通話中に、ＭＦＰ３０からＢＯＸ１０へ無線ＬＡＮの接続要求が来る場合、ＢＯＸ１０は、通話の相手先との回線を保ちつつ、子機待機モードに移行することにより、子機と外部装置との間の通話の中継を中止する構成を備えても良い。その場合、ＢＯＸ１０は、ＭＦＰ３０からの無線ＬＡＮの接続要求が来た原因がＦＡＸ送信データの送信のためであるか否かを判定し、ＦＡＸ送信データの送信のためであるとき、ＢＯＸ１０は、ＭＦＰ３０からＦＡＸ送信データを受信し、ＦＡＸ送信データを受信したことを子機６０に対して通知するように構成しても良い。このようにすれば、送信すべきＦＡＸ送信データがあることを、子機６０による通話中のユーザに、例えばメッセージや報知音で知らせることができる。
【０１０１】
そして、そのユーザが、子機６０からＦＡＸ送信データの送信を指示した場合、ＢＯＸ１０からＦＡＸ送信データを送信するように構成しても良い。子機６０により、外部装置との間で実際に通話を行ったユーザが送信を指示した場合に、ＦＡＸ送信データが送信されるので、誤送信の発生を防止できる。また、この変形例によれば、通話中であっても、ＦＡＸ送信データの送信を割り込ませることができる。
【０１０２】
また、この変形例において、ＢＯＸ１０は、子機６０の通話中におけるＭＦＰ３０からの無線ＬＡＮの接続要求が、ＦＡＸ送信データの送信のため以外であれば通話の中継を再開し、ＭＦＰ３０との間の無線ＬＡＮリンクを切断するように構成しても良い。
【０１０３】
また、上記第１実施形態では、ＢＯＸ１０から子機６０へは、ＦＡＸ電話番号を通知していたが、これに代えて、またはこれに加えて、各ＦＡＸ送信データに付されたＪｏｂ番号や各ＦＡＸ送信データの縮小画像をＢＯＸ１０から子機６０へ通知し、Ｊｏｂ番号や縮小画像を子機６０のパネル６６に表示させるように構成しても良い。そして、子機６０においてユーザが選択したＪｏｂ番号や縮小画像に基づき、ＢＯＸ１０から送信すべきＦＡＸ送信データを取捨選択しても良い。このようにすれば、ユーザは、送信すべきＦＡＸ送信データを子機６０の操作で自由に選択できる。
【０１０４】
また上記第１実施形態では、ＢＯＸ１０から手動送信通知を受けた子機６０は、ＢＯＸ１０から通知されたＦＡＸ電話番号をパネル６６に表示出力していたが、これに代えて、あるいはこれに加えて、子機６０は、ＢＯＸ１０から手動送信通知があったことを、パネル６６に表示出力し、または報知音の出力によりユーザに報知しても良い。このようにすれば、あるユーザが「手動送信機能」によりＦＡＸ送信しようと、ＭＦＰ３０において原稿をスキャンしたにも関わらず、例えば、他の作業に忙殺され、ＦＡＸ送信作業の途中であったことを忘れてしまう場合にも、子機６０からの報知により、思い出させることができる。また、あるユーザが「手動送信機能」によりＦＡＸ送信しようとし、ＭＦＰ３０において原稿を読み取ったのにも関わらず、それを知らない別のユーザが子機６０を使用して電話をかけようとする場合にも、その別のユーザは、子機６０からの報知により、自分以外の誰かがＦＡＸ送信しようとしていることに気づき、例えば、電話をかけるのを止めることができる。
＜その他＞
＜手段＞
技術的思想１の通信装置は、通信網を介し外部装置との間で通話を行う子機に接続する第１接続手段と、前記外部装置へ送信するデータを処理する処理装置に接続する第２接続手段とを備えるものであって、前記第２接続手段を介して前記処理装置から送られてくる送信データを受信する送信データ受信手段と、前記送信データ受信手段により前記送信データを受信したことを、前記第１接続手段を介して前記子機に対して通知する通知手段と、前記通知手段による通知先の子機と前記外部装置との間における通話を中継する中継手段と、前記中継手段により通話が中継される前記子機から送信データの送信指示を受信した場合、前記中継手段が中継する通話の相手先である外部装置に対して、前記送信データ受信手段により受信した前記送信データを送信する送信手段とを備える。
技術的思想２の通信装置は、技術的思想１記載の通信装置において、前記送信データの送信先の外部装置を特定する特定データを、前記処理装置から受信する特定データ受信手段を備え、前記通知手段は、前記特定データ受信手段により受信した前記特定データを前記子機に対して通知するものである。
技術的思想３の通信装置は、技術的思想２記載の通信装置において、前記中継手段が中継する通話の相手先である外部装置を特定する相手先データを取得する相手先データ取得手段と、前記相手先データ取得手段により取得される前記相手先データと、前記特定データ受信手段により受信した前記特定データとが等しいかを判断する第１判断手段とを備え、前記送信手段は、前記第１判断手段により前記相手先データと前記特定データとが等しいと判断されることを条件として、前記送信データ受信手段により受信した前記送信データを、前記通話の相手先である外部装置へ送信するものである。
技術的思想４の通信装置は、技術的思想２または３に記載の通信装置において、前記第１接続手段は、複数台の子機の各々と前記通信装置との間を接続するものであって、前記複数台の子機の各々を識別するための識別データを、前記処理装置から受信する識別データ受信手段を備え、前記通知手段は、前記複数台の子機のうち、前記識別データ受信手段により受信した識別データで識別される子機に対して通知をするものである。
技術的思想５の通信装置は、技術的思想４に記載の通信装置において、前記送信データ受信手段により前記処理装置から前記送信データを受信する毎に、当該受信した送信データを、前記特定データ受信手段により受信した前記特定データと、前記識別データ受信手段により受信した前記識別データとに対応づけてメモリに保存する保存手段と、前記識別データ受信手段により前記処理装置から前記識別データを受信することを条件として、当該受信した前記識別データと同一の識別データに対応づけて前記メモリに保存されている前記特定データを抽出する抽出手段とを備え、前記通知手段は、前記抽出手段により抽出された前記特定データを、前記識別データ受信手段により受信した識別データで識別される子機へ通知する。
技術的思想６の通信装置は、技術的思想５に記載の通信装置において、前記中継手段が中継する通話の相手先である外部装置を特定する相手先データを取得する相手先データ取得手段と、前記相手先データ取得手段により取得される前記相手先データと等しい前記特定データが、前記メモリに保存されているかを判断する第２判断手段と、その第２判断手段による判断結果を、前記子機に対して通知するデータ有無通知手段とを備える。
技術的思想７の通信装置は、技術的思想１に記載の通信装置において、前記送信データの送信先の外部装置を特定する特定データを、前記処理装置から受信する特定データ受信手段と、前記特定データ受信手段により前記特定データを受信することを条件として、当該受信した前記特定データで特定される前記外部装置に発呼する発呼手段とを備え、前記中継手段は、前記発呼手段により発呼した前記外部装置と前記子機との間の通話を中継するものである。
技術的思想８の通信装置は、技術的思想１から７のいずれかに記載の通信装置において、前記第１接続手段および前記第２接続手段は、無線通信により装置間を接続するものであって、前記送信データ受信手段により前記送信データを受信した後、前記第２接続手段を介した前記処理装置との間の接続を切断する切断手段を備え、前記中継手段は、前記切断手段により前記処理装置との間の接続を切断した後、前記子機と前記外部装置との間の通話の中継を開始するものである。
技術的思想９の通信システムは、通信網を介し外部装置との間で通話を行う子機に接続する第１接続手段と、前記外部装置へ送信するデータを処理する処理装置に接続する第２接続手段とを備える通信装置と、前記子機とを含むものであって、前記通信装置は、前記第２接続手段を介して前記処理装置から送られてくる送信データを受信する送信データ受信手段と、前記送信データの送信先の外部装置を特定する特定データを、前記処理装置から受信する特定データ受信手段と、前記特定データ受信手段により受信した前記特定データを前記子機に対して通知する通知手段と、前記通知手段による通知先の子機と前記外部装置との間における通話を中継する中継手段と、前記中継手段により通話が中継される前記子機から送信データの送信指示を受信した場合、前記中継手段が中継する通話の相手先である外部装置に対して、前記送信データ受信手段により受信した前記送信データを送信する送信手段とを備え、前記子機は、前記通知手段により前記通信装置から通知された特定データを表示する表示手段と、前記表示手段により表示された前記特定データをユーザが選択することを条件として、前記選択された特定データで特定される外部装置に対する発呼を前記通信装置に指示する発呼指示手段とを備える。
＜効果＞
技術的思想１記載の通信装置によれば、ユーザは、通信装置からの通知が行われた子機を用いて通話することで相手先の外部装置を認識し、その上で、送信データの送信指示を子機から出力することにより、通話の相手先へ送信データを送信することができる。よって、誤った相手先へ送信データを送信してしまう誤送信の発生を抑制できるという効果がある。
技術的思想２記載の通信装置によれば、技術的思想１記載の通信装置の奏する効果に加え、前記処理装置から受信した特定データが子機に対して通知されるので、子機の側では、受信した特定データを利用した処理を実行できるという効果がある。
技術的思想３記載の通信装置によれば、技術的思想２記載の通信装置の奏する効果に加え、相手先データと特定データとが等しいと判断されることを条件として、送信データが通話の相手先である外部装置へ送信されるので、通話の相手先である外部装置へ送るべき送信データを送信できるという効果がある。
技術的思想４記載の通信装置によれば、技術的思想２または３に記載の通信装置の奏する効果に加え、通知手段は、複数台の子機のうち、識別データで識別される子機に対して通知をするので、通信装置と接続可能な子機が複数台ある場合においても、子機を指定した処理を行うことができるという効果がある。
技術的思想５記載の通信装置によれば、技術的思想４記載の通信装置の奏する効果に加え、メモリに保存されている特定データのうち、受信した識別データと同一の識別データに対応づけてメモリに保存されている特定データが、受信した識別データで識別される子機へ通知されるので、子機毎に適切な特定データを通知することができるという効果がある。
技術的思想６記載の通信装置によれば、技術的思想５記載の通信装置の奏する効果に加え、相手先データと等しい特定データが、メモリに保存されているかが判断され、その判断結果が子機に通知されるので、子機の側では、相手先データと等しい特定データの有無に応じて、適切な処理を行うことができるという効果がある。
技術的思想７記載の通信装置によれば、技術的思想１記載の通信装置の奏する効果に加え、受信した特定データで特定される外部装置に発呼し、その発呼した外部装置と子機との間の通話を中継した後に送信データを送信するので、誤送信の発生を抑制できるという効果がある。
技術的思想８記載の通信装置によれば、技術的思想１から７のいずれかに記載の通信装置の奏する効果に加え、送信データを受信した後は処理装置との間の接続が切断され、その後、子機と外部装置との間の通話の中継が開始されるので、第１接続手段および第２接続手段が共に無線通信により装置間を接続するものであっても、通話中における無線干渉の発生を抑制し、通話品質の低下を抑制できるという効果がある。
技術的思想９記載の通信システムによれば、技術的思想１記載の通信装置と同様の作用効果を奏する。さらに、子機においては、通信装置から通知された特定データが表示されるので、子機のユーザに特定データを視認させることができ、さらに、発呼先の外部装置をユーザに選択させることができるので、ユーザは、同一の特定データを処理装置と子機とのそれぞれに重複して入力する必要がなく、ユーザの手間を軽減できるという効果がある。
【符号の説明】
【０１０５】
１          通信システム
１０        ＢＯＸ
１６        無線ＬＡＮ送受信部
２０        ＤＣＬ送受信部
３０        ＭＦＰ
６０        子機
１００      電話回線網
【図１】
0005381654.tif 000002
【図２】
0005381654.tif 000003
【図３】
0005381654.tif 000004
【図４】
0005381654.tif 000005
【図５】
0005381654.tif 000006
【図６】
0005381654.tif 000007
【図７】
0005381654.tif 000008
【図８】
0005381654.tif 000009